(57)【要約】【課題】クランプねじの折損を防止するとともに、スローアウェイチップをクランプする強度および安定性を高めたスローアウェイチップおよびスローアウェイ式切削工具を提供する。【解決手段】すくい面３と、逃げ面４と、すくい面３と逃げ面４との交差稜線部に形成された切刃５と、工具本体２０に設けたチップ座２１に当接する着座面６、被拘束面７ａ、７ｂとを備えたチップ本体２には、クランプねじ３０を挿通するための取り付け穴１０が前記着座面６に開口して形成され、前記取り付け穴１０が前記クランプねじの頭部の座面３１ａに当接する内壁面１１ａを有する係合部１１を備え、この係合部の軸心ＣＬ１１が前記着座面６の法線に対して鋭角に傾斜し、前記軸心ＣＬ１１を含みかつ前記着座面６に直交する平面で切断した断面で、前記係合部の内壁面１１ａと前記クランプねじの頭部の座面３１ａとの接点における接線が前記法線に対して外側に傾斜するようにした。【選択図】      図４
2009006442.tif 000002
【特許請求の範囲】
【請求項１】
多角形板形状又は円形板状をなすチップ本体には、すくい面と、逃げ面と、これらすくい面と逃げ面との交差稜線部に形成された切刃と、切削工具の工具本体の所定の位置に設けたチップ座に当接する着座面、被拘束面とが備えられ、
該チップ本体を前記チップ座に固定するクランプねじを挿通するための取り付け穴が前記着座面に開口するとともに該チップ本体を貫通して形成され、
前記取り付け穴が前記クランプねじの頭部の座面に当接する内壁面を有する係合部を備え、
この係合部の内壁面が前記着座面の法線に対して鋭角に傾斜する軸心を中心とした対称形状とされ、
前記軸心を含みかつ前記着座面に直交する平面で切断した断面において、前記係合部の内壁面と前記クランプねじの頭部の座面との接点における接線が、前記法線に対して外側に向かって傾斜している
ことを特徴とするスローアウェイチップ。
【請求項２】
前記係合部の前記着座面側の端部に連なって非係合部が形成され、
この係合部が前記着座面に開口するとともに前記着座面に直交する軸心を中心とした対称形状とされている
ことを特徴とする請求項１に記載のスローアウェイチップ。
【請求項３】
前記係合部又は前記非係合部と前記着座面との交差部には、前記交差部より径大の逃がし部が形成されている
ことを特徴とする請求項１又は２に記載のスローアウェイチップ。
【請求項４】
請求項１〜３のいずれか１項に記載のスローアウェイチップを装着するスローアウェイ式切削工具であって、
該スローアウェイ式切削工具の工具本体には、前記スローアウェイチップを載置するチップ座が切欠き形成され、
前記チップ座が前記スローアウェイチップの着座面に当接する底面と、前記着座面に隣接する少なくとも１つの面に当接する壁面を有し、
前記底面には、前記クランプねじに螺合する雌ねじ穴が設けられ、
この雌ねじ穴がその軸心を前記底面に対して鋭角をなし、かつ前記雌ねじ穴が前記底面から離間するにしたがって、前記壁面に漸次接近するように形成されている
ことを特徴とするスローアウェイ式切削工具。
【発明の詳細な説明】
【技術分野】
【０００１】
本発明は、スローアウェイチップおよびこのスローアウェイチップがクランプねじにより着脱可能に装着されるスローアウェイ式切削工具に関する。
【背景技術】
【０００２】
スローアウェイ式切削工具において、チップ座の底壁に穿設したねじ穴内にスローアウェイチップの貫通穴を通し締着されるクランプねじによって、スローアウェイチップをチップ座に着脱可能に装着する、いわゆるスクリューオン方式のスローアウェイ式切削工具がある。
この種の切削工具の中には、ねじ穴がチップ座の底壁に対する法線に対し所定角度で穿設することによって、スローアウェイチップが、その両隣接側面を、チップ座の両側壁に当接させるとともに、その着座面をチップ座の底壁に着座させてなるものがある。このような構成により、クランプねじによるスローアウェイチップの工具本体に対するクランプ状態を適正に維持するものがあった（例えば、特許文献１参照）。
【特許文献１】特開平７−１６４２１３号公報
【発明の開示】
【発明が解決しようとする課題】
【０００３】
しかしながら、特許文献１に記載されたスローアウェイ式工具では、ねじ穴およびクランプねじがチップ座の底壁の法線に対し所定角度で傾斜し、クランプねじの頭部がスローアウェイチップの貫通穴に対して偏心していることから、クランプねじの頭部の座面とスローアウェイチップの貫通穴の受承座部とは、全周にわたって当接せず、スローアウェイチップの両隣接側面側のみ当接した状態となっていた。このような当接状態では、クランプねじの頭部が弾性変形した状態でチップ座に当接されることになることから、クランプねじには大きな曲げ応力が働き、クランプねじが折損するという問題があった。また、特許文献１の発明において、クランプねじの頭部の座面とチップの貫通穴の受承座部とを全周にわたって当接させる場合においても、クランプねじの頭部の座面を同一円周上でスローアウェイチップの貫通穴の受承座部に当接させることができないため、クランプねじの頭部には曲げ応力が働き、クランプねじの破損が生じるおそれがある。
【０００４】
本発明は、上記問題を解決するためになされたもので、クランプねじの頭部の座面とスローアウェイチップの取り付け穴の内壁面との係合状態を最適化することにより、クランプねじの折損を防止するとともに、スローアウェイチップのクランプ強度およびクランプの安定性を高めたスローアウェイチップおよびスローアウェイ式切削工具を提供することを目的とする。また、クランプねじの小型化およびこの工具本体の強度向上により切削性能に優れたスローアウェイチップおよびスローアウェイ式切削工具を提供することを目的とする。
【課題を解決するための手段】
【０００５】
上記課題を解決するために、本発明は以下の構成を有する。
請求項１に係る発明は、多角形板形状又は円形板状をなすチップ本体には、すくい面と、逃げ面と、これらすくい面と逃げ面との交差稜線部に形成された切刃と、切削工具の工具本体の所定の位置に設けたチップ座に当接する着座面、被拘束面とが備えられ、該チップ本体を前記チップ座に固定するクランプねじを挿通するための取り付け穴が前記着座面に開口するとともに該チップ本体を貫通して形成され、前記取り付け穴が前記クランプねじの頭部の座面に当接する内壁面を有する係合部を備え、この係合部の内壁面が前記着座面の法線に対して鋭角に傾斜する軸心を中心とした対称形状とされ、前記軸心を含みかつ前記着座面に直交する平面で切断した断面において、前記係合部の内壁面と前記クランプねじの頭部の座面との接点における接線が、前記法線に対して外側に向かって傾斜していることを特徴とするスローアウェイチップである。
【０００６】
請求項１に係るスローアウェイチップによれば、取り付け穴の係合部の内壁面が着座面の法線に対して鋭角に傾斜する軸心まわりに回転対称形状とされていることから、該スローアウェイチップを固定するクランプねじを前記軸心と平行な方向に傾斜させて工具本体の雌ねじ穴に締着する際において、前記クランプねじは、その頭部の座面が同一円周上で前記係合部の内壁面と当接し、前記同一円周上に加わる力が均一化するため、曲げ応力による折損が防止される。クランプねじにおいては、曲げ応力が緩和されるため、小型化が可能となる。
【０００７】
一方、スローアウェイチップでは、係合部の軸心を含みかつ着座面に直交する平面で切断した断面において、係合部の内壁面とクランプねじの頭部の座面との接点における接線が、着座面の法線に対して外側に向かって傾斜していることから、前記接点では、着座面を工具本体に押し付ける方向に力が作用するため、クランプの安定性が高くなる。前記の着座面を工具本体に押し付ける方向に作用する力は、前記係合部の内壁面の全周にわたって作用するため、スローアウェイチップの着座面が工具本体から浮き上がることなく、クランプの安定性が高くなる。さらに、スローアウェイチップを粉末形成法により、該スローアウェイチップの着座面の法線方向に上パンチおよび下パンチを駆動することによって粉末成形体を製作する際において、取り付け穴を成形するコアロッドの抜き出しが可能であり、該プレス成形加工により前記取り付け穴の完成形状を加工することができるため、製作コストの低減がはかられる。
【０００８】
さらに、スローアウェイチップの取り付け穴の係合部の内壁面に当接するクランプねじおよびこれがねじ込まれる雌ねじ穴を、前記スローアウェイチップの着座面の法線に対して工具本体の肉厚増加方向へ傾斜させることにより、工具本体の強度向上が可能となる。
【０００９】
請求項２に係る発明は、前記係合部の前記着座面側の端部に連なって非係合部が形成され、この係合部が前記着座面に開口するとともに前記着座面に直交する軸心を中心とした対称形状とされていることを特徴とする請求項１に記載のスローアウェイチップである。
請求項２に係るスローアウェイチップによれば、前記係合部の前記着座面側の端部に連なって非係合部を形成することにより、前記係合部をその軸心方向で適切な位置に配することが可能となるとともに、取り付け穴の係合部以外の部分における内壁面とクランプねじの軸部との間の接触が避けられる。さらに、スローアウェイチップを粉末形成法により、該スローアウェイチップの着座面の法線方向に上パンチおよび下パンチを駆動することによって粉末成形体を製作する際において、取り付け穴を成形するコアロッドの抜き出しが可能であり、該プレス成形加工により前記取り付け穴の完成形状を加工することができるため、製作コストの低減がはかられる。
【００１０】
請求項３に係る発明は、前記係合部又は前記非係合部と前記着座面との交差部には、前記交差部より径大の逃がし部が形成されていることを特徴とする請求項１又は２に記載のスローアウェイチップである。
請求項３に係るスローアウェイチップによれば、取り付け穴の係合部以外の部分における内壁面とクランプねじとの間の接触が避けられるため、スローアウェイチップの着座面に対するクランプねじの傾斜角度の設定範囲が拡大する。
【００１１】
請求項４に係る発明は、請求項１〜３のいずれか１項に記載のスローアウェイチップを装着するスローアウェイ式切削工具であって、該スローアウェイ式切削工具の工具本体には、前記スローアウェイチップを載置するチップ座が切欠き形成され、前記チップ座が前記スローアウェイチップの着座面に当接する底面と、前記着座面に隣接する少なくとも１つの面に当接する壁面を有し、前記底面には、前記クランプねじに螺合する雌ねじ穴が設けられ、この雌ねじ穴がその軸心を前記底面に対して鋭角をなし、かつ前記雌ねじ穴が前記底面から離間するにしたがって、前記壁面に漸次接近するように形成されていることを特徴とするスローアウェイ式切削工具である。
請求項４に係るスローアウェイ式切削工具によれば、スローアウェイチップの取り付け穴における係合部の内壁面が、このスローアウェイチップの着座面に対して鋭角に傾斜する軸心まわりに回転対称形状とされていることから、該スローアウェイチップを固定するクランプねじを前記軸心と平行に傾けて工具本体の雌ねじ穴に締着する際において、前記クランプねじは、その頭部の座面が同一円周上で前記係合部の内壁面と当接し、前記同一円周上に加わる力が均一化するため、曲げ応力による折損が防止される。クランプねじにおいては、曲げ応力が緩和されるため、小型化が可能となる。
さらに、前記係合部の内壁面に当接するクランプねじおよびこれがねじ込まれる雌ねじ穴を、前記スローアウェイチップの着座面の法線に対して工具本体の肉厚増加方向へ傾斜させることにより、工具本体の強度向上が可能となり、工具びびりの抑制等により切削性能の向上がはかられる。
【発明の効果】
【００１２】
本発明によれば、取り付け穴の係合部の内壁面が着座面に対して鋭角に傾斜する軸心まわりに回転対称形状とされていることから、該スローアウェイチップを固定するクランプねじを前記軸心と平行に傾けて工具本体の雌ねじ穴に締着する際において、前記クランプねじは、その頭部の座面が同一円周上で前記係合部の内壁面と当接し、前記同一円周上に加わる力が均一化するため、曲げ応力による折損が防止される。クランプねじにおいては、曲げ応力が緩和されるため、小型化が可能となる。一方、スローアウェイチップでは、取り付け穴の軸心を含みかつ着座面に直交する平面で切断した断面において、係合部の内壁面が前記着座面の法線に対して外側に向かって傾斜するように形成されていることから、係合部の内壁面がクランプねじの頭部の座面から受ける力が、スローアウェイチップの着座面を工具本体に押し付ける方向に作用するため、クランプの安定性が高くなる。前記の着座面を工具本体に押し付ける方向に作用する力は、前記係合部の内壁面の全周にわたって作用するため、スローアウェイチップの着座面の一部が工具本体から浮き上がることなく、クランプの安定性が高くなる。さらに、スローアウェイチップを粉末形成法により、該スローアウェイチップの着座面の法線方向に上パンチおよび下パンチを駆動することによって粉末成形体を製作する際において、取り付け穴を成形するコアロッドの抜き出しが可能であり、該プレス成形加工により前記取り付け穴の完成形状を加工することができるため、製作コストの低減がはかられる。さらに、スローアウェイチップの取り付け穴の係合部の内壁面に当接するクランプねじおよびこれを締着する雌ねじ穴を、前記スローアウェイチップの着座面に対して鋭角に傾斜する方向を工具本体の肉厚増加方向へ設定することにより、工具本体の強度向上が可能となり、工具びびりの抑制等により切削性能の向上がはかられる。
【発明を実施するための最良の形態】
【００１３】
本発明を適用した実施形態について、図面を参照しながら説明する。図１〜図３はそれぞれ本発明を適用したスローアウェイチップの正面図、左側面図、平面図である。図４は、図３におけるＡ−Ａ´線断面図である。図５は、図４に示す取り付け穴の拡大断面図である。図６は、取り付け穴の変形例を示す拡大断面図である。図７および図８は、本発明のスローアウェイチップを装着したスローアウェイ式エンドミルの正面図および先端視側面図である。図９は、図７におけるＢ−Ｂ´線断面図である。
【００１４】
図１〜図３に図示するように本スローアウェイチップ１は、四角形板状をなすチップ本体２の上面となる四角形面がすくい面３とされ、下面となる四角形が着座面６とされ、前記四角形面の１つのコーナからそれぞれ延びる一対の辺稜部には、外周刃５ａおよび正面刃５ｂがそれぞれ形成され、これら外周刃５ａおよび正面刃５ｂから前記着座面６に向かって延びる一対の側面が逃げ面４とされ、これら逃げ面４に対向する他の一対の側面が被拘束面７ａ、７ｂとされてなる。チップ本体２には、すくい面３となる四角形面の中央部にスローアウェイ式エンドミルの工具本体２０に固定するクランプねじ３０を挿通するための取り付け穴１０が着座面６となる四角形面に開口して形成される。
【００１５】
図３におけるＡ−Ａ´線断面図である図４に図示するように取り付け穴１０は、クランプねじの頭部の座面３１ａに当接する内壁面１１ａを有する係合部１１を備える。この係合部１１は、本スローアウェイチップの着座面６の法線に対して鋭角に傾斜した軸心ＣＬ１１まわりに回転対称形状とされる。具体的には、係合部の軸心ＣＬ１１は、すくい面３から着座面６に近づくにしたがって、図３におけるＡ−Ａ´線に沿って、一対をなす両被拘束面７ａ、７ｂに漸次接近するように傾斜している。さらに、図４において、係合部の内壁面１１ａは、内側に向かって凸曲線状とされ、前記法線に対して外側に向かって傾斜するように形成されている。なお、前記内壁面１１ａのうちクランプねじの頭部の座面３１ａとの当接位置における接線が前記法線に対して外側に向かって傾斜していればよく、その他の部分における接線が前記法線と平行であってもかまわない。また、前記内壁面１１ａは、前記した凸曲面に限らず、逆円錐台形状であってもかまわない。
【００１６】
本実施形態に係るスローアウェイチップ１は、図７〜図９に図示するようにスローアウェイ式エンドミルの工具本体２０の先端部に切欠き形成されたチップ座２１に装着される。詳細には、工具本体２０の先端部には、その外周面２０ａを切欠く切屑排出溝２３が該工具本体の軸心を挟んで一対に形成され、各切屑排出溝２３の工具回転方向Ｋを向く壁面には、切欠き段部からなるチップ座２１がそれぞれ形成されている。スローアウェイチップ１は、そのすくい面３が工具回転方向Ｋを向くとともに、外周刃５ａおよび正面刃５ｂが工具本体の外周面２０ａおよび先端面２０ｂからそれぞれ突出して配設される。このときスローアウェイチップ１は、その着座面６がチップ座の底面２１ａに当接するとともに、外周刃５ａおよび正面刃５ｂに対向する一対の側面がチップ座の底面２１ａから立ち上がる一対の壁面２１ｂ、２１ｃに当接して、チップ座２１に載置される。なお、図９からわかるように２つのチップ座２１、２１に装着された各スローアウェイチップ１、１は、すくい面３となる四角形面の形状が相違するため、正面刃５ｂが工具本体の軸心まで達するか達しないかの違い、および外周刃５ａに対向する位置にある被拘束面７ａの前記軸心に対する傾斜の違い等がみられるが、基本的に同じ構成を具備している。
【００１７】
さらに、チップ座の底面２１ａには、スローアウェイチップの取り付け穴１０の着座面６における開口部を臨む位置に雌ねじ穴２２が設けられる。この雌ねじ穴２２は、前記取り付け穴の係合部１１とほぼ同一軸心上に設けられており、図９に図示するように工具本体の軸心に直交するＢ−Ｂ´線に沿う平面で切断した断面図において、チップ座の底面２１ａから遠ざかるにしたがってチップ座の壁面２１ｂに接近する方向に傾斜し、雌ねじ穴２２と工具本体の外周面２０ａとの間の肉厚が増加する方向に延びている。なお、図示しないが、雌ねじ穴の軸心は、前記チップ座の壁面２１ｂと交差するもう一方の壁面２１ｃに接近する方向にも傾斜し、雌ねじ穴２２と工具本体の先端面２０ｂとの間の肉厚が増加する方向に延びている。
【００１８】
各スローアウェイチップの取り付け穴１０には、頭部に逆円錐台形状の座面３１ａを備えたクランプねじ３０が前記取り付け穴１０およびチップ座の雌ねじ穴２２とほぼ同一軸心方向にねじ込まれて、前記座面３１ａが取り付け穴の係合部の内壁面１１ａを押圧することにより、スローアウェイチップ１は、その着座面６がチップ座の底面２１ａに押し付けられるとともに、各被拘束面７ａ、７ｂがチップ座の壁面２１ｂ、２１ｃにそれぞれ押し付けられて、チップ座２１にしっかりと固定される。
【００１９】
本実施形態に係るスローアウェイチップ１は、その取り付け穴１０における係合部の内壁面１１ａが着座面の法線に対して鋭角に傾斜する軸心ＣＬ１１を中心とした回転対称形状となっており、内側に向かって凸曲面状又は逆円錐台形状で構成されたテーパ状とされている。クランプねじ３０を前記軸心ＣＬ１１と一致するように傾斜させてチップ座の底面の雌ねじ穴２２に締着する際において、前記クランプねじ３０は、その頭部の座面３１ａが同一円周上で前記係合部の内壁面１１ａと当接する。従来のスローアウェイチップは、その取り付け穴が着座面の法線まわりに回転対称形状とされているため、クランプねじを前記法線に対して傾斜させて工具本体の雌ねじ穴に締着する際において、前記取り付け穴の内壁面に、クランプねじの頭部の座面を同一円周上で当接させることができない。これに対して、本実施形態に係るスローアウェイチップ１によれば、これを固定するクランプねじ３０は、その頭部の座面３１ａには同一円周上にわたって均一な力が加わるため、従来のスローアウェイチップを固定するクランプねじより曲げ応力がきわめて小さくなり、折損の発生が防止される。また、小型化も可能となる。
【００２０】
さらに、本スローアウェイチップ１によれば、取り付け穴の係合部の軸心ＣＬ１１を含みかつ着座面６に直交する平面で切断した断面（例えば図３におけるＡ−Ａ´線断面図である図４）において、係合部の内壁面１１ａとクランプねじの頭部の座面３１ａとの接点における接線が着座面の法線に対して外側に向かって傾斜しているので、前記接点の全周にわたって着座面６をチップ座の底面２１ａ側に押し付ける力が作用するため、前記着座面６がチップ座の底面２１ａから浮き上がることなく安定したクランプ性能が得られる。
【００２１】
前記断面において、係合部の内壁面１１ａ全体が着座面の法線に対して外側に向かって傾斜して形成された場合には、着座面の法線方向に上パンチおよび下パンチを駆動するプレス成形加工によってスローアウェイチップの粉末成形体を製作する際において、前記取り付け穴１０を成形するコアロッドの抜き出しが可能であり、該プレス成形加工により前記取り付け穴１０の完成形状を加工することができるため、製作コストの低減がはかられる。
【００２２】
さらに、図９からわかるように本実施形態に係るスローアウェイチップ１およびこれを装着したスローアウェイ式エンドミルは、該スローアウェイチップの取り付け穴の係合部１１、クランプねじ３０およびチップ座の底面に設けた雌ねじ穴２２を、前記スローアウェイ式エンドミルの工具本体２０の肉厚増加方向へ傾斜させることが可能であることから、前記クランプねじ３０および前記雌ねじ穴２２をスローアウェイチップの着座面の法線方向に配置した従来のスローアウェイチップおよびこれを装着する従来のスローアウェイ式エンドミルにくらべ、チップ座２１およびその周辺の強度が向上するとともに、クランプねじ３０と雌ねじ穴２２とのかかり合う長さＬを大きくとれるため、耐びびり性およびクランプ強度の向上がはかられる。そのため、特に刃先径が１６ｍｍ以下の小径スローアウェイ式エンドミルにおいて優れた切削性能が得られる。
【００２３】
本実施形態に係るスローアウェイチップ１およびこれを装着するスローアウェイ式エンドミルによれば、スローアウェイチップの取り付け穴における係合部の内壁面１１ａが、このスローアウェイチップの着座面の法線に対して鋭角に傾斜する軸心ＣＬ１１まわりに回転対称形状とされていることから、該スローアウェイチップ１を固定するクランプねじ３０を前記軸心ＣＬ１１と平行に傾けてチップ座の底面に設けた雌ねじ穴２２に締着する際において、前記クランプねじ３０は、その頭部の座面３１ａが同一円周上で前記係合部の内壁面１１ａと当接し、前記同一円周上に加わる力が均一化するため、曲げ応力による折損が防止される。クランプねじ３０においては、曲げ応力が緩和されるため、小型化が可能となる。
【００２４】
本実施形態に係るスローアウェイチップ１において、図４および図５に図示するように取り付け穴の係合部１１を挟んですくい面３側および着座面６側に、略円筒状又は略円錐台形状をなす非係合部１２、１３がそれぞれ設けられてもよい。すくい面側の非係合部１２は、すくい面３に開口し、その軸心ＣＬ１２が着座面６に直交し、すくい面３に近づくにしたがって直径が漸次拡大する円錐台形状に形成されている。着座面側の非係合部１３は、着座面６に開口し、その軸心ＣＬ１３が着座面６に直交する円筒状に形成されている。図５からわかるようにすくい面側の非係合部１２は、クランプねじの頭部３１を着座面６側に沈下させ、すくい面３からの突出量を抑制するため、すくい面３上を通過する切屑の流れを妨害しないという効果をもたらす。また、すくい面側および着座面側の非係合部１２、１３は、クランプねじの頭部３１および軸部３２にそれぞれ接触することがないので、クランプねじ３０を該スローアウェイチップの着座面６に対して鋭角に傾斜することを可能とし、その傾斜角度の設定範囲を拡大することに寄与する。
【００２５】
該スローアウェイチップ１を粉末形成法により、該スローアウェイチップの着座面の法線方向に上パンチおよび下パンチを駆動することによって粉末成形体を製作する際において、取り付け穴を成形するコアロッドの抜き出しが可能であり、該プレス成形加工により前記取り付け穴の完成形状を加工することができる。したがって、該プレス成形加工後、取り付け穴に関して研削加工等の機械加工が一切不要となるため製造コストの上昇が避けられる。
【００２６】
さらに、図４に図示するように係合部の内壁面１１ａが着座面６に近づくにしたがって直径が縮小するように、内側に向かって凸曲面状又は図示しないが逆円錐台形状とされていることが望ましい。そうすれば、クランプねじの頭部の座面３１ａと、係合部の内壁面１１ａとの接点における接線が前記着座面６の法線に対して外側に傾斜し、該スローアウェイチップの着座面６をチップ座の底面２１ａに押し付ける力が前記内壁面１１ａの全周にわたって作用するためクランプの安定性が高くなる。
【００２７】
図６に図示するように係合部１１又は着座面側の非係合部１３と着座面６との交差部には、この交差部より径大の逃がし部１４が追加されてもよい。この逃がし部１４の追加により、該スローアウェイチップのすくい面３と着座面６との間の距離（スローアウェイチップの厚さ）が大きくなった場合でも、取り付け穴の係合部１１以外の部分における内壁面とクランプねじ３０との接触が避けられるため、スローアウェイチップの着座面６の法線に対するクランプねじ３０の傾斜角度の設定範囲が拡大する。
【００２８】
図１０に図示するスローアウェイチップ１は、本発明を適用したスローアウェイチップの変形例であり、係合部の軸心ＣＬ１１を含みかつ着座面６に直交する平面で切断した取り付け穴の拡大断面図である。図１０および以下の説明において、先に説明した実施形態に係るスローアウェイチップと同じ構成には同一符号を付し、その説明を省略する。
【００２９】
図１０に示すスローアウェイチップ１は、そのすくい面３と着座面６との距離（厚さ）を２等分する平面Ｓと係合部の軸心ＣＬ１１との交点Ｃを基準として、点対称的に一対に形成されたものであり、該スローアウェイチップ１を、前記交点Ｃを中心としてすくい面３と着座面６とが入れ替わるように裏返すことによって、選択的に表裏の両面を使用することができるものであり、先に説明した実施形態に係るスローアウェイチップ１にくらべ使用コーナ数が増し経済性に優れるという利点を有する。
【００３０】
さらに、このスローアウェイチップ１においては、前記交点Ｃを通り係合部の軸心ＣＬ１１と直交する平面を境界として、取り付け穴１０のすくい面３側の部分および着座面６側の部分がそれぞれの開口部に近づくにしたがって、すくい面３（着座面６）の法線に対して平行に延びるか又は外側に広がるように形成されていることから、前記法線方向に上パンチおよび下パンチを駆動するプレス成形加工によって該スローアウェイチップの粉末成形体を製作する際において、取り付け穴１０を成形するコアロッドの抜き出しが可能であり、該プレス成形加工により取り付け穴１０の完成形状を加工することができるため、製作コストの低減がはかられる。
【００３１】
本発明を適用するスローアウェイチップおよびスローアウェイ式切削工具は、以上に説明したスローアウェイ式エンドミルに限らず、クランプねじを用いてスローアウェイチップを工具本体に固定するものであれば、図１１および図１２に図示する内径溝入れバイト、図１３の（ａ）および（ｂ）にそれぞれ図示する内径ねじ切りバイト、中ぐりバイト等のスローアウェイ式旋削工具、又は、図示しないがスローアウェイ式ドリル、スローアウェイ式リーマ等のスローアウェイ式穴あけ工具にも適用可能である。
【図面の簡単な説明】
【００３２】
【図１】本発明を適用したスローアウェイチップの正面図である。
【図２】図１に示すスローアウェイチップの左側面図である。
【図３】図１に示すスローアウェイチップの平面図である。
【図４】図３におけるＡ−Ａ´線断面図である。
【図５】図４に示す取り付け穴の拡大断面図である。
【図６】取り付け穴の変形例を示す拡大断面図である。
【図７】図１に示すスローアウェイチップを装着したスローアウェイ式エンドミルの正面図である。
【図８】図７に示すスローアウェイ式エンドミルの先端視側面図である。
【図９】図７におけるＢ−Ｂ´線断面図である。
【図１０】本発明を適用したスローアウェイチップの変形例における取り付け穴の拡大断面図である。
【図１１】本発明を適用した中ぐりバイトの正面図である。
【図１２】図１２に示す内径溝入れバイトの先端視側面図である。
【図１３】（ａ）は本発明を適用した内径ねじ切りバイトの正面図であり、（ｂ）は本発明を適用した中ぐりバイトである。
【符号の説明】
【００３３】
１  スローアウェイチップ
２  チップ本体
３  すくい面
４  逃げ面
５  切刃
５ａ  外周刃
５ｂ  正面刃
６  着座面
７ａ、７ｂ  被拘束面
１０  取り付け穴
１１  係合部
１１ａ  係合部の内壁面
１２  すくい面側の非係合部
１３  着座面側の非係合部
１４  逃がし部
２０  工具本体
２１  チップ座
２１ａ  チップ座の底面
２１ｂ、２１ｃ  チップ座の壁面
２２  チップ座の底面の雌ねじ穴
３０  クランプねじ
３１  クランプねじの頭部
３１ａ  クランプねじの頭部の座面
３２  クランプねじの軸部
ＣＬ１１  係合部の軸心
【図１】
2009006442.tif 000003
【図２】
2009006442.tif 000004
【図３】
2009006442.tif 000005
【図４】
2009006442.tif 000006
【図５】
2009006442.tif 000007
【図６】
2009006442.tif 000008
【図７】
2009006442.tif 000009
【図８】
2009006442.tif 000010
【図９】
2009006442.tif 000011
【図１０】
2009006442.tif 000012
【図１１】
2009006442.tif 000013
【図１２】
2009006442.tif 000014
【図１３】
2009006442.tif 000015